(57)【要約】【課題】利用者の利便性を向上させること。【解決手段】携帯電話端末（携帯電子機器）１は、タッチパネル２を有する第１の筐体と、タッチパネル３を有する第２の筐体と、タッチパネル２およびタッチパネル３への情報の表示を制御する主制御部１０とを備える。主制御部１０は、携帯電子機器１が、タッチパネル２を外部へ露出させたままでタッチパネル３を第１の筐体が覆い隠すように第１の筐体と第２の筐体とが重なり合う第１の形態から、タッチパネル２およびタッチパネル３が外部へ露出する第２の形態へ変化した場合に、タッチパネル２に表示されているアイコンのうち、選択されているアイコンに対応する機能を起動させ、当該機能に対応する画面をタッチパネル３に表示させる。【選択図】図９
2012095158.tif 000002
【特許請求の範囲】
【請求項１】
第１の表示部を有する第１の筐体と、第２の表示部を有する第２の筐体と、前記第１の表示部および前記第２の表示部への情報の表示を制御する制御部とを備える携帯電子機器であって、
前記制御部は、前記携帯電子機器が、第１の表示部を外部へ露出させたままで前記第２の表示部を前記第１の筐体が覆い隠すように前記第１の筐体と前記第２の筐体とが重なり合う第１の形態から、前記第１の表示部および前記第２の表示部が外部へ露出する第２の形態へ変化した場合に、前記第１の表示部に表示されているアイコンのうち、選択されているアイコンに対応する機能を起動させ、当該機能に対応する画面を前記第２の表示部に表示させることを特徴とする携帯電子機器。
【請求項２】
前記制御部は、前記携帯電子機器が、前記第２の形態から前記第１の形態へ変化した場合に、前記第２の表示部に表示されている画面に対応する機能が実行される状態ならば、当該機能を中断させ、当該機能が中断中であることを示すアイコンを前記第１の表示部に表示させることを特徴とする請求項１に記載の携帯電子機器。
【請求項３】
前記制御部は、前記携帯電子機器が、前記第１の形態から前記第２の形態へ変化した場合に、前記選択されているアイコンが、前記機能が中断中であることを示すアイコンであれば、当該アイコンに対応する機能を再開させ、当該機能に対応する画面を前記第２の表示部に表示させることを特徴とする請求項２に記載の携帯電子機器。
【請求項４】
前記制御部は、前記中断中であることを示すアイコンに対応する機能を再開させた後に、当該アイコンを前記第１の表示部から消去することを特徴とする請求項３に記載の携帯電子機器。
【請求項５】
前記制御部は、前記第１の表示部に表示されているアイコンが選択された場合に、当該アイコンに対応する機能に関する情報を前記第１の表示部に表示することを特徴とする請求項１から４のいずれか１項に記載の携帯電子機器。
【請求項６】
前記制御部は、前記第１の表示部に表示されているアイコンに対する所定の操作が検出された場合に、当該アイコンに対応する機能を起動させ、当該機能に対応する画面を前記第１の表示部に表示させることを特徴とする請求項１から５のいずれか１項に記載の携帯電子機器。
【請求項７】
第１の表示部を有する第１の筐体と、第２の表示部を有する第２の筐体と、前記第１の表示部および前記第２の表示部への情報の表示を制御する制御部とを備える携帯電子機器の制御方法であって、
前記携帯電子機器が、第１の表示部を外部へ露出させたままで前記第２の表示部を前記第１の筐体が覆い隠すように前記第１の筐体と前記第２の筐体とが重なり合う第１の形態から、前記第１の表示部および前記第２の表示部が外部へ露出する第２の形態へ変化したことを検出するステップと、
前記携帯電子機器が前記第２の形態へしたことが検出された場合に、前記第１の表示部に表示されているアイコンのうち、選択されているアイコンに対応する機能を起動させ、当該機能に対応する画面を前記第２の表示部に表示させるステップと
を含むことを特徴とする制御方法。
【請求項８】
第１の表示部を有する第１の筐体と、第２の表示部を有する第２の筐体と、前記第１の表示部および前記第２の表示部への情報の表示を制御する制御部とを備える携帯電子機器に、
前記携帯電子機器が、第１の表示部を外部へ露出させたままで前記第２の表示部を前記第１の筐体が覆い隠すように前記第１の筐体と前記第２の筐体とが重なり合う第１の形態から、前記第１の表示部および前記第２の表示部が外部へ露出する第２の形態へ変化したことを検出するステップと、
前記携帯電子機器が前記第２の形態へしたことが検出された場合に、前記第１の表示部に表示されているアイコンのうち、選択されているアイコンに対応する機能を起動させ、当該機能に対応する画面を前記第２の表示部に表示させるステップと
を実行させることを特徴とする制御プログラム。
【発明の詳細な説明】
【技術分野】
【０００１】
本発明は、携帯電子機器、制御方法および制御プログラムに関する。
【背景技術】
【０００２】
近年、直感的な操作を可能にするとともに、キーボードのように物理的に大きな面積を必要とするデバイスを具備しない小型の携帯電子機器を実現するために、タッチパネルが広く利用されるようになっている。また、特許文献１では、２つのタッチパネルを有し、２つのタッチパネルが露出する開状態と１つのタッチパネルのみが露出する閉状態のいずれかに変位し、開状態にて受信した発信元へ、閉状態への変位を契機として発信をする携帯電話端末が提案されている。
【先行技術文献】
【特許文献】
【０００３】
【特許文献１】特開２００９−１６４７９４号公報
【発明の概要】
【発明が解決しようとする課題】
【０００４】
上記の特許文献１に記載されている従来技術は、通話に関する操作について利用者の利便性を向上させることができるものの、携帯電子機器が有するその他の機能に関する操作については特に考慮されていない。近年の携帯電子機器は多種多様な機能を備えるようになっており、通話以外の機能の操作についても利用者の利便性を向上させることが要望されている。
【０００５】
本発明は、上記に鑑みてなされたものであって、利用者の利便性を向上させることができる携帯電子機器、制御方法および制御プログラムを提供することを目的とする。
【課題を解決するための手段】
【０００６】
上述した課題を解決し、目的を達成するために、本発明は、第１の表示部を有する第１の筐体と、第２の表示部を有する第２の筐体と、前記第１の表示部および前記第２の表示部への情報の表示を制御する制御部とを備える携帯電子機器であって、前記制御部は、前記携帯電子機器が、第１の表示部を外部へ露出させたままで前記第２の表示部を前記第１の筐体が覆い隠すように前記第１の筐体と前記第２の筐体とが重なり合う第１の形態から、前記第１の表示部および前記第２の表示部が外部へ露出する第２の形態へ変化した場合に、前記第１の表示部に表示されているアイコンのうち、選択されているアイコンに対応する機能を起動させ、当該機能に対応する画面を前記第２の表示部に表示させることを特徴とする。
【０００７】
ここで、前記制御部は、前記携帯電子機器が、前記第２の形態から前記第１の形態へ変化した場合に、前記第２の表示部に表示されている画面に対応する機能が実行される状態ならば、当該機能を中断させ、当該機能が中断中であることを示すアイコンを前記第１の表示部に表示させることが好ましい。
【０００８】
また、前記制御部は、前記携帯電子機器が、前記第１の形態から前記第２の形態へ変化した場合に、前記選択されているアイコンが、前記機能が中断中であることを示すアイコンであれば、当該アイコンに対応する機能を再開させ、当該機能に対応する画面を前記第２の表示部に表示させることが好ましい。
【０００９】
また、前記制御部は、前記中断中であることを示すアイコンに対応する機能を再開させた後に、当該アイコンを前記第１の表示部から消去することが好ましい。
【００１０】
また、前記制御部は、前記第１の表示部に表示されているアイコンが選択された場合に、当該アイコンに対応する機能に関する情報を前記第１の表示部に表示することが好ましい。
【００１１】
また、前記制御部は、前記第１の表示部に表示されているアイコンに対する所定の操作が検出された場合に、当該アイコンに対応する機能を起動させ、当該機能に対応する画面を前記第１の表示部に表示させることが好ましい。
【００１２】
また、上述した課題を解決し、目的を達成するために、本発明は、第１の表示部を有する第１の筐体と、第２の表示部を有する第２の筐体と、前記第１の表示部および前記第２の表示部への情報の表示を制御する制御部とを備える携帯電子機器の制御方法であって、前記携帯電子機器が、第１の表示部を外部へ露出させたままで前記第２の表示部を前記第１の筐体が覆い隠すように前記第１の筐体と前記第２の筐体とが重なり合う第１の形態から、前記第１の表示部および前記第２の表示部が外部へ露出する第２の形態へ変化したことを検出するステップと、前記携帯電子機器が前記第２の形態へしたことが検出された場合に、前記第１の表示部に表示されているアイコンのうち、選択されているアイコンに対応する機能を起動させ、当該機能に対応する画面を前記第２の表示部に表示させるステップとを含むことを特徴とする。
【００１３】
また、上述した課題を解決し、目的を達成するために、本発明は、制御プログラムであって、第１の表示部を有する第１の筐体と、第２の表示部を有する第２の筐体と、前記第１の表示部および前記第２の表示部への情報の表示を制御する制御部とを備える携帯電子機器に、前記携帯電子機器が、第１の表示部を外部へ露出させたままで前記第２の表示部を前記第１の筐体が覆い隠すように前記第１の筐体と前記第２の筐体とが重なり合う第１の形態から、前記第１の表示部および前記第２の表示部が外部へ露出する第２の形態へ変化したことを検出するステップと、前記携帯電子機器が前記第２の形態へしたことが検出された場合に、前記第１の表示部に表示されているアイコンのうち、選択されているアイコンに対応する機能を起動させ、当該機能に対応する画面を前記第２の表示部に表示させるステップとを実行させることを特徴とする。
【発明の効果】
【００１４】
本発明に係る携帯電子機器、制御方法および制御プログラムは、利用者の利便性を向上させることができるという効果を奏する。
【図面の簡単な説明】
【００１５】
【図１】図１は、第１の形態にある携帯電話端末の斜視図である。
【図２】図２は、第２の形態にある携帯電話端末の斜視図である。
【図３】図３は、形態の変化と連動して機能を起動させる例を示す図である。
【図４】図４は、形態の変化と連動して機能を中断させる例を示す図である。
【図５】図５は、形態の変化と連動して機能を再開させる例を示す図である。
【図６】図６は、中断中の機能を上画面で再開させる例を示す図である。
【図７】図７は、アイコンに関する説明を表示させる例を示す図である。
【図８】図８は、アイコンに関する説明を表示させる他の例を示す図である。
【図９】図９は、携帯電話端末の機能的な構成を示すブロック図である。
【図１０】図１０は、アイコンデータの一例を示す図である。
【図１１】図１１は、上画面でアイコンに対する操作が検出された場合の処理手順を示すフロー図である。
【図１２】図１２は、携帯電話端末の形態が変化した場合の処理手順を示すフロー図である。
【発明を実施するための形態】
【００１６】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話端末を例として説明するが、本発明の適用対象は携帯電話端末に限定されるものではなく、タッチパネルを備える各種装置、例えば、ＰＨＳ（Personal  Handyphone  System）、ＰＤＡ、ポータブルナビゲーション装置、パーソナルコンピュータ、ゲーム機等に対しても本発明は適用できる。
【００１７】
（実施形態）
まず、図１および図２を参照しながら、本発明に係る携帯電子機器の一実施形態である携帯電話端末１の外観について説明する。図１は、第１の形態にある携帯電話端末１の斜視図であり、図２は、第２の形態にある携帯電話端末１の斜視図である。携帯電話端末１は、第１の筐体１Ａと、第２の筐体１Ｂとを有する。第１の筐体１Ａは、第２の筐体１Ｂに対して矢印Ａの方向に相対的にスライド可能に構成されている。
【００１８】
第１の筐体１Ａは、第２の筐体１Ｂと対向する面と反対側の面にタッチパネル２を有する。第２の筐体１Ｂは、第１の筐体１Ａと対向する面にタッチパネル３を有する。タッチパネル２およびタッチパネル３は、文字、図形、画像等を表示するとともに、利用者が指やスタイラス等（以下、単に「指」という）を用いて当該タッチパネルに対して行う各種操作を検出する。タッチパネル３は、第１の筐体１Ａと第２の筐体１Ｂとが重なり合う第１の形態では第１の筐体１Ａによって覆い隠され、第１の筐体１Ａが矢印Ａの方向にスライドした第２の形態では外部に露出する。
【００１９】
第１の形態は、利用者が携帯電話端末１を持ち運ぶのに適した形態であり、この形態でも利用者は、タッチパネル２に表示される情報を参照したり、タッチパネル２を指で操作して情報を入力したりすることができる。第２の形態は、利用者が携帯電話端末１を利用するのに適した形態であり、利用者は、タッチパネル２とタッチパネル３とを併用して、より多くの情報を参照することができる。
【００２０】
なお、以下の説明では、常時外部に露出しているタッチパネル２を上画面２と呼び、第１の形態では第１の筐体１Ａによって覆い隠され第２の形態では外部に露出するタッチパネル３を下画面３と呼ぶことがある。
【００２１】
次に、図３から図５を参照しながら、携帯電話端末１が形態の変化と連動して機能を制御する方式について説明する。図３は、形態の変化と連動して機能を起動させる例を示す図である。図４は、形態の変化と連動して機能を中断させる例を示す図である。図５は、形態の変化と連動して機能を再開させる例を示す図である。
【００２２】
図３に示すステップＳ１１では、携帯電話端末１は第１の形態にあり、上画面２にはアイコン２１とアイコン２２とが配置された待受画面が表示されている。アイコン２１は、ＷＥＢブラウジング機能を新規に起動させるために用いられる絵文字であり、アイコン２２は、電子メール機能を新規に起動させるために用いられる絵文字である。
【００２３】
ここで、待受画面とは、電話の発着信を待ち受けている状態の画面、または、アプリケーションプログラムの起動を待ち受けている状態の画面である。換言すると、待受画面は、携帯電話端末１が提供する各種機能画面へ画面が変わる前の画面である。なお、待受画面は、例えば、デスクトップ画面、ホーム画面、または、壁紙と呼ばれることもある。また、図３に示した例では、無地の画面が待受画面として表示されているが、画像データやアニメーションデータを待受画面として表示してもよい。また、待受画面の一部として、カレンダや時計のように動的に変化する部分が含まれていてもよい。
【００２４】
ここで、ステップＳ１２として、利用者がアイコン２２に対してシングルタップ操作を行うと、携帯電話端末１は、アイコン２２を選択状態にする。携帯電話端末１は、選択状態となったアイコン２２を、例えば、明度を低下させることによって、他のアイコンと識別可能にする。なお、シングルタップ操作とは、アイコン等を軽くたたくように、指をタッチパネルに接触させた後にすぐ離す動作を一度だけ行う操作をいう。
【００２５】
そして、アイコン２２が選択状態にあるときに、ステップＳ１３として、利用者が携帯電話端末１を第１の形態から第２の形態へ変化させたとする。この場合、携帯電話端末１は、選択状態にあるアイコン２２に対応する電子メール機能を下画面３で起動させる。ここで、「電子メール機能を下画面３で起動させる」とは、電子メール機能を起動させ、電子メール機能が提供する画面（ウインドウ）を下画面３に表示させることを意味する。
【００２６】
このように、携帯電話端末１は、第１の形態から第２の形態へ変化する際に、上画面２において選択状態となっているアイコンがあれば、そのアイコンに対応する機能を下画面３で起動させる。このため、利用者は、携帯電話端末１を第１の形態にして持ち歩いている最中に下画面３で何らかの機能を起動させたくなった場合には、その機能に対応するアイコンを上画面２で選択状態にすることにより、携帯電話端末１を第２の形態へ変形させて下画面３を露出させる動作と連動して、希望する機能を下画面３で起動させることができる。
【００２７】
そして、図４のステップＳ２１のように下画面３で電子メール機能が起動されている状態で、利用者が携帯電話端末１を第１の形態へ変化させたものとする。この場合、携帯電話端末１は、ステップＳ２２として、下画面３で起動していた電子メール機能を中断させ、電子メール機能が中断中であることを示すアイコン２３を上画面に表示させる。
【００２８】
アイコン２３は、電子メール機能を起動させるためのアイコン２２と同様の外観を有するが、対応する機能が中断中であることを識別できるように「！（イクスクラメーションマーク）」が付加されている。なお、「！」を付加するのは一例であり、中断中の機能を示すアイコンは、機能を新規に起動するためのアイコンと何らかのやり方で区別できればよい。例えば、中断直前の下画面３のサムネイル画像をアイコン２３として表示してもよい。
【００２９】
このように、利用者が携帯電話端末１を第２の形態にして下画面３で何らかの機能を利用している最中に何らかの理由で利用を中断しなければならなくなった場合、利用者は、携帯電話端末１を第１の形態へ戻すことによって機能を中断させることができる。すなわち、利用者は、携帯電話端末１を持ち運びが容易な第１の形態へ戻すことによって、下画面３で起動している機能を中断させ、そのまま携帯電話端末１を手に持って持ち運んだり、かばんにしまったりすることができる。
【００３０】
そして、図５のステップＳ３１のように、中断されている機能に対応するアイコン２３が上画面２に表示されている状態で、利用者が、中断されている機能を再開したくなったものとする。この場合、利用者は、ステップＳ３２として、アイコン２３に対してシングルタップ操作を行う。携帯電話端末１は、アイコン２３に対してシングルタップ操作が行われると、アイコン２３を選択状態にする。
【００３１】
そして、アイコン２３が選択状態にあるときに利用者がステップＳ３３として携帯電話端末１を第１の形態から第２の形態へ変化させると、携帯電話端末１は、アイコン２３に対応する電子メール機能を下画面３で再開させる。また、携帯電話端末１は、電子メール機能を再開させたことにともなって、アイコン２３を上画面２から削除する。
【００３２】
このように、携帯電話端末１は、第１の形態から第２の形態へ変化する際に、中断中の機能に対応するアイコンが上画面２において選択状態となっていれば、そのアイコンに対応する機能を下画面３で再開させる。このため、利用者は、下画面３で起動していた機能を再開させたくなった場合には、その機能に対応するアイコンを上画面２で選択状態にすることにより、携帯電話端末１を第２の形態へ変形させて下画面３を露出させる動作と連動して、希望する機能を下画面３で再開させることができる。
【００３３】
なお、中断中の機能を下画面３ではなく、上画面２で再開させることもできる。図６を参照しながら、中断中の機能を上画面２で再開させる例について説明する。
【００３４】
図６のステップＳ４１のように、中断されている機能に対応するアイコン２３が上画面２に表示されている状態で、利用者が、アイコン２３に対してダブルタップ操作を行ったものとする。なお、ダブルタップ操作とは、アイコン等を軽くたたくように、指をタッチパネルに接触させた後にすぐ離す動作を二度繰り返して行う操作をいう。
【００３５】
この場合、携帯電話端末１は、ステップＳ４２として、アイコン２３に対応する電子メール機能を下画面３ではなく、上画面２で再開させる。このとき、携帯電話端末１は、電子メール機能を再開させたことにともなって、アイコン２３を上画面２から削除する。その結果、利用者が電子メール機能を終了させた後、ステップＳ４３に示すように、上画面２にはアイコン２３が表示されなくなる。
【００３６】
また、利用者は、表示されているアイコンの詳細について、所定の操作を行うことで知ることができる。例えば、図７のステップＳ５１のように、電子メール機能に対応するアイコン２２が上画面２に表示されている状態で、利用者が、アイコン２２に対してロングタップ操作を行ったものとする。なお、ロングタップ操作とは、アイコン等を押し込むように、指をタッチパネルに所定の時間よりも長く接触させた後に離す操作をいう。
【００３７】
この場合、携帯電話端末１は、ステップＳ５２として、アイコン２２を選択状態にし、アイコン２２に対応する機能が電子メール機能であることを示す吹き出し２４等を上画面２に表示することで、アイコン２２に対応する機能が何であるかを利用者に通知する。
【００３８】
同様に、図８のステップＳ６１のように、中断中の電子メール機能に対応するアイコン２３が上画面２に表示されている状態で、利用者が、アイコン２３に対してロングタップ操作を行ったものとする。この場合、携帯電話端末１は、ステップＳ６２として、アイコン２３を選択状態にし、アイコン２３に対応する機能が電子メール機能であり、メール作成を実行中に中断されたことを示す吹き出し２５等を上画面２に表示することで、アイコン２３に対応する機能が何であり、どのような処理を実行中に中断されたのかを利用者に通知する。
【００３９】
次に、図９を参照しながら、携帯電話端末１の機能的な構成について説明する。図９は、携帯電話端末１の機能的な構成を示すブロック図である。図９に示すように携帯電話端末１は、タッチパネル２と、タッチパネル３と、姿勢検出部４と、電源部５と、通信部６と、スピーカ７と、マイク８と、記憶部９と、主制御部１０と、ＲＡＭ（Random  Access  Memory）１１とを有する。なお、タッチパネル２が第１の筐体１Ａに設けられ、タッチパネル３が第２の筐体１Ｂに設けられることを除いて、各部位は、第１の筐体１Ａと第２の筐体１Ｂのいずれに設けられてもよい。
【００４０】
タッチパネル２は、表示部２Ｂと、表示部２Ｂに重畳されたタッチセンサ２Ａとを有する。タッチパネル３は、表示部３Ｂと、表示部３Ｂに重畳されたタッチセンサ３Ａとを有する。タッチセンサ２Ａおよびタッチセンサ３Ａは、指を用いて表面に対して行われた各種操作を、操作が行われた位置とともに検出する。タッチセンサ２Ａおよびタッチセンサ３Ａによって検出される操作には、シングルタップ操作、ダブルタップ操作、ロングタップ操作等が含まれる。表示部２Ｂおよび表示部３Ｂは、例えば、液晶ディスプレイ（ＬＣＤ、Liquid  Crystal  Display）や、有機ＥＬ（Organic  Electro−Luminescence）パネルなどで構成され、文字、図形、画像等を表示する。
【００４１】
姿勢検出部４は、携帯電話端末１が第１の形態にあるのか、第２の形態にあるのかを検出する。姿勢検出部４は、例えば、第１の筐体１Ａと第２の筐体１Ｂとが対向する面に設けられた機械的なスイッチによって携帯電話端末１の姿勢を検出する。
【００４２】
電源部５は、蓄電池または外部電源から得られる電力を、主制御部１０を含む携帯電話端末１の各機能部へ供給する。通信部６は、基地局によって割り当てられるチャネルを介し、基地局との間でＣＤＭＡ方式などによる無線信号回線を確立し、基地局との間で電話通信及び情報通信を行う。スピーカ７は、電話通信における相手側の音声や着信音等を出力する。マイク８は、利用者等の音声を電気的な信号へ変換する。
【００４３】
記憶部９は、例えば、不揮発性メモリや磁気記憶装置であり、主制御部１０での処理に利用されるプログラムやデータを保存する。具体的には、記憶部９は、電子メール機能を実現するためのメールプログラム９Ａや、ＷＥＢブラウジング機能を実現するためのブラウザプログラム９Ｂや、上述したような機能の制御を実現するための制御プログラム９Ｃや、画面上に表示されるアイコンに関する情報が格納されたアイコンデータ９Ｄを記憶する。記憶部９には、その他に、携帯電話端末１の基本的な機能を実現するオペレーティングシステムプログラムや、氏名、電話番号、メールアドレス等が登録されたアドレス帳データ等の他のプログラムやデータも記憶される。
【００４４】
ここで、アイコンデータ９Ｄについて、図１０を参照しながら説明する。図１０は、アイコンデータ９Ｄの一例を示す図である。図１０に示すように、アイコンデータ９Ｄは、ＩＤ、対応機能、表示位置、絵文字、中断中プロセス、選択といった項目を有する。ＩＤの項目には、アイコンの識別番号が格納される。対応機能の項目には、アイコンに対応する機能を特定するための情報が格納される。表示位置の項目には、アイコンが表示される位置を特定する情報が格納される。
【００４５】
絵文字の項目には、アイコンとして表示される絵文字（画像）を特定するための情報が格納される。中断中プロセスの項目には、対応する機能が中断中の場合に、中断中の機能の実態であるプロセスの番号が格納される。ここで、プロセスとは、主制御部１０によってＲＡＭ１１に展開され、実行可能状態となったプログラムである。なお、対応する機能を新規に起動されるアイコンの場合、中断中プロセスの項目は空欄となる。選択の項目には、アイコンが選択状態にあるか否かを示す値が格納される。例えば、選択の項目に「１」が格納されていることは、対応するアイコンが選択状態であることを示し、選択の項目に「０」が格納されていることは、対応するアイコンが選択状態でないことを示す。
【００４６】
主制御部１０は、例えば、ＣＰＵ（Central  Processing  Unit）であり、携帯電話端末１の動作を統括的に制御する。具体的には、主制御部１０は、記憶部９に記憶されているデータを必要に応じて参照しつつ、記憶部９に記憶されているプログラムを実行して、タッチパネル２、通信部６等を制御することによって各種処理を実行する。主制御部１０は、記憶部９に記憶されているプログラムや、処理を実行することによって取得／生成／加工されたデータを、一時的な記憶領域を提供するＲＡＭ１１に必要に応じて展開する。なお、主制御部１０が実行するプログラムや参照するデータは、通信部６による無線通信でサーバ装置からダウンロードすることとしてもよい。
【００４７】
例えば、主制御部１０は、メールプログラム９Ａを実行することによって、電子メール機能を実現する。また、主制御部１０は、制御プログラム９Ｃを実行することによって、利用者の操作や携帯電話端末１の形態の変化に応じて、各種プログラムの実行状態を制御する。
【００４８】
次に、図１１および図１２を参照しながら、制御プログラム９Ｃに基づいて主制御部１０が実行する処理手順について説明する。なお、図１１および図１２に示す処理手順は、携帯電話端末１が動作している間、繰り返して実行される。
【００４９】
図１１は、上画面２でアイコンに対する操作が検出された場合の処理手順を示すフロー図である。図１１に示すように、主制御部１０は、ステップＳ１０１として、タッチパネル（上画面）２の検出結果を取得する。そして、タッチパネル２で検出された操作がアイコンに対するシングルタップ操作であった場合（ステップＳ１０２，Ｙｅｓ）、主制御部１０は、ステップＳ１０３として、アイコンデータ９Ｄを参照して、タップされたアイコンが選択状態にあるか否かを確認する。
【００５０】
ここで、タップされたアイコンが選択状態にない場合（ステップＳ１０４，Ｎｏ）、主制御部１０は、ステップＳ１０５として、他のアイコンの選択状態を解除し、ステップＳ１０６として、タップされたアイコンを選択状態にする。一方、タップされたアイコンが選択状態にある場合（ステップＳ１０４，Ｙｅｓ）、主制御部１０は、ステップＳ１０７として、タップされたアイコンの選択状態を解除する。なお、選択状態の設定および解除は、アイコンデータ９Ｄの選択の項目の値を更新するとともに、上画面２でのアイコンの表示態様を変更することによって行われる。
【００５１】
また、タッチパネル２で検出された操作がアイコンに対するロングタップ操作であった場合（ステップＳ１０２，Ｎｏ、かつ、ステップＳ１０８，Ｙｅｓ）、主制御部１０は、ステップＳ１０９として、他のアイコンの選択状態を解除し、ステップＳ１１０として、タップされたアイコンを選択状態にする。そして、主制御部１０は、ステップＳ１１１として、タップされたアイコンの説明を吹き出し等の形式で上画面２に表示する。具体的には、主制御部１０は、アイコンデータ９Ｄを参照し、タップされたアイコンが新規に機能を起動させるためのものであれば、その機能に関する説明を表示する。一方、タップされたアイコンが中断された機能に対応するものであれば、主制御部１０は、その機能に関する説明と中断時の実行状況に関する説明とを表示する。
【００５２】
また、タッチパネル２で検出された操作がアイコンに対するダブルタップ操作であった場合（ステップＳ１０８，Ｎｏ、かつ、ステップＳ１１２，Ｙｅｓ）、主制御部１０は、ステップＳ１１３として、アイコンデータ９Ｄを参照して、タップされたアイコンが中断された機能に対応するものであるか否かを確認する。そして、タップされたアイコンが中断された機能に対応するものでなければ（ステップＳ１１４，Ｎｏ）、主制御部１０は、ステップＳ１１５として、タップされたアイコンに対応する機能を上画面２で新規に起動させる。
【００５３】
一方、タップされたアイコンが中断された機能に対応するものであれば（ステップＳ１１４，Ｙｅｓ）、主制御部１０は、ステップＳ１１６として、タップされたアイコンに対応する機能を上画面２で再開させる。そして、主制御部１０は、ステップＳ１１７として、タップされたアイコンを削除する。
【００５４】
図１２は、携帯電話端末１の形態が変化した場合の処理手順を示すフロー図である。図１２に示すように、主制御部１０は、ステップＳ２０１として、姿勢検出部４の検出結果を取得する。
【００５５】
そして、姿勢検出部４で第１の状態から第２の状態への変化、すなわち、閉状態から開状態への変化が検出されていた場合（ステップＳ２０２，Ｙｅｓ）、主制御部１０は、ステップＳ２０３として、アイコンデータ９Ｄを参照して、選択状態にあるアイコンを探索する。ここで、選択状態にあるアイコンがない場合（ステップＳ２０４，Ｎｏ）、主制御部１０は、特に処理を行わない。
【００５６】
一方、選択状態にあるアイコンがあった場合（ステップＳ２０４，Ｙｅｓ）、主制御部１０は、ステップＳ２０５として、そのアイコンが中断された機能に対応するものであるかを判定する。そして、選択状態にあるアイコンが中断された機能に対応するものでなければ（ステップＳ２０５，Ｎｏ）、主制御部１０は、ステップＳ２０６として、選択状態にあるアイコンに対応する機能を下画面３で新規に起動させる。また、選択状態にあるアイコンが中断された機能に対応するものであれば（ステップＳ２０５，Ｙｅｓ）、主制御部１０は、ステップＳ２０７として、選択状態にあるアイコンに対応する機能を下画面３で再開させる。そして、主制御部１０は、ステップＳ２０８として、選択状態にあるアイコンを削除する。
【００５７】
また、姿勢検出部４で第２の状態から第１の状態への変化、すなわち、開状態から閉状態への変化が検出されていた場合（ステップＳ２０２，Ｎｏ、かつ、ステップＳ２０９，Ｙｅｓ）、主制御部１０は、ステップＳ２１０として、下画面３での機能の起動状況を取得する。機能の起動状況は、例えば、ＲＡＭ１１上に設けられたプロセス管理用のテーブルから取得できる。
【００５８】
そして、下画面３で起動中の機能があった場合（ステップＳ２１１，Ｙｅｓ）、主制御部１０は、ステップＳ２１２として、起動している機能を中断させ、ステップＳ２１３として、中断させた機能に対応するアイコンを上画面２に追加する。このとき、主制御部１０は、アイコンデータ９Ｄにも、中断させた機能に対応するアイコンに関する情報を追加する。一方、下画面３で起動中の機能がない場合（ステップＳ２１１，Ｎｏ）、主制御部１０は、特に処理を行わない。
【００５９】
上述してきたように、本実施形態では、携帯電話端末１の形態の変化と連動して、機能の起動、中断、再開を行うこととしたので、機能の起動等に関する操作を簡略化し、利用者の利便性を向上させることができる。
【００６０】
なお、上記の各実施形態で示した本発明の態様は、本発明の要旨を逸脱しない範囲で任意に変更することができる。例えば、制御プログラム９Ｃは、複数のモジュールに分割されていてもよいし、他のプログラムと統合されていてもよい。
【００６１】
また、上記の実施形態では、シングルタップ操作によってアイコンが選択状態となり、ダブルタップ操作によってアイコンに対応する機能が同一画面上で起動され、ロングタップ操作によってアイコンを選択状態としつつアイコンに関する説明が表示されることとしたが、操作の割り当てはこの通りである必要はない。例えば、ロングタップ操作によってアイコンが選択状態となり、シングルタップ操作によってアイコンに対応する機能が同一画面上で起動され、ダブルタップ操作によってアイコンを選択状態としつつアイコンに関する説明が表示されることとしてもよい。また、シングルタップ操作等によってタップされたアイコンの近傍にメニューを表示し、アイコンに関連してどのような処理を行うかを利用者に選択させてもよい。
【００６２】
また、上記の実施形態では、第１の筐体１Ａが第２の筐体１Ｂに対して相対的にスライドすることによって携帯電話端末１が第１の形態から第２の形態へ変化することとしたが、第１の形態から第２の形態への変化はこのようなスライド動作以外によって実現されてもよい。例えば、携帯電話端末１は、第１の筐体１Ａと第２の筐体１Ｂとを２軸回転式ヒンジで結合した折り畳み式の端末であってもよく、この場合、ヒンジの２つの軸を回転軸として第１の筐体１Ａと第２の筐体１Ｂを相対的に回転させることによって形態の変化が実現される。
【産業上の利用可能性】
【００６３】
以上のように、本発明に係る携帯電子機器、制御方法および制御プログラムは、機能の制御に有効であり、操作について利用者の利便性を向上させることが必要な場合に特に適している。
【符号の説明】
【００６４】
１  携帯電話端末
１Ａ  第１の筐体
１Ｂ  第２の筐体
２  タッチパネル（上画面）
２Ａ、３Ａ  タッチセンサ
２Ｂ、３Ｂ  表示部
３  タッチパネル（下画面）
４  姿勢検出部
５  電源部
６  通信部
７  スピーカ
８  マイク
９  記憶部
９Ａ  メールプログラム
９Ｂ  ブラウザプログラム
９Ｃ  制御プログラム
９Ｄ  アイコンデータ
１０  主制御部
１１  ＲＡＭ
２１〜２３  アイコン
２４、２５  吹き出し
【図１】
2012095158.tif 000003
【図２】
2012095158.tif 000004
【図３】
2012095158.tif 000005
【図４】
2012095158.tif 000006
【図５】
2012095158.tif 000007
【図６】
2012095158.tif 000008
【図７】
2012095158.tif 000009
【図８】
2012095158.tif 000010
【図９】
2012095158.tif 000011
【図１０】
2012095158.tif 000012
【図１１】
2012095158.tif 000013
【図１２】
2012095158.tif 000014